(57)【要約】【課題】光源と鏡板の組み合わせの相乗効果によって光による多種多様な演出効果が得られるようにし、光源を備えたケースに、特徴的で固有の雰囲気を醸し出させる美的もしくは斬新で新奇な装飾を施せるようにした収納ケースを提供する。【解決手段】ケース本体３を開閉する蓋体６の裏面６ａに鏡板７を取り付けた収納ケース１において、鏡板の裏面７ａに、蓋体の裏面との間に位置させて設けられ、発光されて蓋体の裏面から鏡板の周縁にわたって光を照射するＬＥＤ群２２と、鏡板の周縁にこれを取り囲んで設けられ、光を透過させる環状カバープレート２７と、ＬＥＤ群を発光させるボタン型電池２４と、ＬＥＤ群の発光をコントロールする制御素子２５とを備えた。蓋体が、光を透過させる透明もしくは半透明に形成されている。鏡板裏面の銀メッキが部分的に除去されて、鏡面７ｂから光が照射される。【選択図】　　　　　図２
2004057553.tif 000002
【特許請求の範囲】
【請求項１】
ケース本体を開閉する蓋体の裏面に鏡板を取り付けた収納ケースにおいて、上記鏡板の裏面に、上記蓋体の裏面との間に位置させて設けられ、発光されて該蓋体の裏面から該鏡板の周縁にわたって光を照射するＬＥＤ群と、上記鏡板の周縁にこれを取り囲んで設けられ、光を透過させる環状カバーと、上記ＬＥＤ群を発光させる電源と、上記ＬＥＤ群の発光をコントロールするコントローラとを備えたことを特徴とする収納ケース。
【請求項２】
前記蓋体が光を透過させる透明もしくは半透明に形成されていることを特徴とする請求項１に記載の収納ケース。
【請求項３】
前記鏡板裏面の銀メッキが部分的に除去されて、鏡面から光が照射されることを特徴とする請求項１または２に記載の収納ケース。
【発明の詳細な説明】
【０００１】
【発明の属する技術分野】
本発明は、光源と鏡板の組み合わせの相乗効果によって光による多種多様な演出効果が得られるようにし、光源を備えたケースに、特徴的で固有の雰囲気を醸し出させる美的もしくは斬新で新奇な装飾を施せるようにした収納ケースに関する。
【０００２】
【従来の技術】
従来、この種の光源を備えた容器として、特開平１１−１０２６０１に開示されたものが知られている。この容器は、照度の低い所、例えば、夜の屋外、ＯＨＰを用いた会議の席や夜間の車の中でも、カバンの内部、メモ帳に筆記する手元、また鏡に写る化粧時の顔を見ることができる光源を有する携帯用容器を提供することを目的とし、容器本体とこの容器本体に蝶番を介して開閉自在に取り付けられた上蓋部とからなる容器の上蓋部の内面に、アクリル生乳白色の拡散パネルと、この拡散パネルの後方に設けられた冷陰極蛍光灯からなる光源と、この光源の後方に設けられたアルミニウム薄板からなる反射シートを貼付した反射鏡と、光源を点灯させるための回路基板と、電源と、スイッチ手段とからなる光源ユニットを組み込み、光源を点灯させることにより、容器本体の内部を照明したり、容器本体を持つ者の顔を照射して暗い場所でも鏡を用いることができるようにして、照度の低い所でも、対象物を照らしたり、鏡に写る化粧時の顔を見ることができるようにしている。特に、上蓋部に鏡が取り付けられている場合には、光源を鏡とは別に、鏡の近く、特に鏡の上方などに配置するようにしていた。
【０００３】
【発明が解決しようとする課題】
ところで、上記従来の容器は、光源を備えながらも照明という観点のみに着目したものであって、光源によって容器にもたらすことが可能な多様な演出効果を有効かつ十分に利用することができていないという課題があった。詳細には、特に光源と鏡との関係において、光源は鏡とは別の位置に設けられ、光源は顔などを照らし出すだけであり、また鏡は照らし出された顔を映し出すだけであって、それらの機能を個々に利用しているにすぎなかった。
【０００４】
本発明は上記従来の課題に鑑みて創案されたものであって、光源と鏡板の組み合わせの相乗効果によって光による多種多様な演出効果が得られるようにし、光源を備えたケースに、特徴的で固有の雰囲気を醸し出させる美的もしくは斬新で新奇な装飾を施せるようにした収納ケースを提供することを目的とする。
【０００５】
【課題を解決するための手段】
本発明にかかる収納ケースは、ケース本体を開閉する蓋体の裏面に鏡板を取り付けた収納ケースにおいて、上記鏡板の裏面に、上記蓋体の裏面との間に位置させて設けられ、発光されて該蓋体の裏面から該鏡板の周縁にわたって光を照射するＬＥＤ群と、上記鏡板の周縁にこれを取り囲んで設けられ、光を透過させる環状カバーと、上記ＬＥＤ群を発光させる電源と、上記ＬＥＤ群の発光をコントロールするコントローラとを備えたことを特徴とする。これにより、ＬＥＤ群と鏡板の組み合わせの相乗効果によって光による多種多様な演出効果が得られ、ＬＥＤ群を備えた収納ケースに、特徴的で固有の雰囲気を醸し出させる美的もしくは斬新で新奇な装飾を施すことが可能となる。
【０００６】
また、前記蓋体が光を透過させる透明もしくは半透明に形成されていることを特徴とする。これにより、蓋体の外観にも、光による演出効果を利用した特徴的な雰囲気の装飾を施すことが可能となる。
【０００７】
また、前記鏡板裏面の銀メッキが部分的に除去されて、鏡面から光が照射されることを特徴とする。これにより、鏡板自体にも、光による演出効果を利用した特徴的な雰囲気の装飾を施すことが可能となる。
【０００８】
【発明の実施の形態】
以下に、本発明にかかる収納ケースの好適な一実施形態を、添付図面を参照して詳細に説明する。本実施形態にかかる収納ケース１は図１〜図３に示すように、各種の収納物を収納する収納空間２が形成されたケース本体３と、ケース本体３の一端にヒンジ４を介して回動自在に連結されてケース本体３を開閉するとともに、ケース本体３の他端にフック手段５を介して係脱自在に係合されて当該ケース本体３を閉止状態に維持する蓋体６と、蓋体６の外形寸法よりも小さな外形寸法で形成され、当該蓋体６の裏面６ａに取り付けられる鏡板７とから主に構成される。
【０００９】
フック手段５は、ケース本体３に形成された凹所８内にスライド自在に設けられたプッシュピース９と、プッシュピース９に形成されたフック用突起１０と、蓋体６に形成されてフック用突起１０に係脱自在に係合されるフック部１１とから構成され、プッシュピース９がケース本体３内方へ押し込まれることにより、フック用突起１０がフック部１１から離脱されて、蓋体６を開くことができるようになっている。またヒンジ４は、フック手段５とは反対側においてケース本体３に形成されたヒンジ凹所１２に、蓋体６から垂下させたヒンジブロック１３が挿入され、ケース本体３からヒンジブロック１３にわたってヒンジピン１４が挿入されることで構成される。
【００１０】
図示例にあっては、収納ケース１として、収納空間２に、化粧料１５およびその上に重ねて置かれるパフ１６が収納される携帯用の化粧料容器が例示されている。しかしながら、収納ケース１としては、このような化粧料容器に限らず、宝石や装身具など、いかなる収納物を収納するものであっても良いことはもちろんである。
【００１１】
蓋体６について説明すると、蓋体６の周縁部には、ケース本体３側へ向かって垂下させて外周壁１７が形成され、これにより蓋体６の裏面６ａには、外周壁１７で取り囲んで組み付け用の凹部１８が区画形成される。この組み付け用凹部１８には、鏡板７の外形寸法よりも小さな外形寸法で形成され、かつその周縁に蓋体６の裏面６ａと接合される環状突起１９が形成された取り付け用基板２０と、この取り付け用基板２０に重ね合わせて接着される透明な板材２１とが設けられ、鏡板７はその裏面７ａが透明な板材２１に接着される。そして、取り付け用基板２０は環状突起１９により、蓋体６の裏面６ａとの間に隙間を隔てた状態で蓋体６に取り付け支持されるとともに、鏡板７は透明な板材２１を介して、取り付け用基板２０に支持される。
【００１２】
鏡板７の裏面７ａとなる取り付け用基板２０上には、蓋体６の裏面６ａとの間の隙間に位置させて、発光されることにより蓋体６の裏面６ａから鏡板７の周縁にわたって光を照射するＬＥＤ群２２が設けられる。図示例にあってはＬＥＤ群２２は、鏡板７の周方向に沿って配列された６個のＬＥＤから構成されている。ＬＥＤ群２２は、それらの接続端子２２ａが環状突起１９に適宜間隔を隔てて形成された貫通孔２３に挿通されて支持されるとともに、それらの発光部２２ｂは鏡板７の周縁や蓋体裏面６ａの周縁に面するように、取り付け用基板２０よりも外方に突出される。取り付け基板２０上には、ＬＥＤ群２２を発光させる電源として、ボタン型電池２４が搭載されるとともに、ＬＥＤ群２２の発光をコントロールするプログラミングが書き込まれたＩＣチップ等の制御素子２５が搭載され、ケース本体３もしくは蓋体６に組み込んだ図示しないスイッチとこれらとの間で回路配線２６を施すことによって、ＬＥＤ群２２をプログラミングに従って発光させるようになっている。
【００１３】
さらに、鏡板７の周縁にはこれを取り囲んで、蓋体６の外周壁１７との間に、光を透過させる透明もしくは半透明の環状カバープレート２７が設けられる。また蓋体６も、少なくとも取り付け用基板２０よりも外側の部分が透明もしくは半透明に形成され、当該蓋体６を透過するＬＥＤ群２２の照射光によって、その表面６ｂが照らし出されるようになっている。また、鏡板７の裏面７ａには、ＬＥＤ群２２からの光が鏡板７を透過して鏡面７ｂから照射されるように、銀メッキが部分的に除去された透過部２８が形成される。
【００１４】
次に、上記構成を備える本実施形態の収納ケース１の作用について説明すると、蓋体６を回動させてケース本体３を開き、スイッチを入れると、ＬＥＤ群２２の各ＬＥＤはそれぞれ、制御素子２５に書き込まれたプログラミングに従って点滅されたりその照度が増減変更されるなど多様に点灯され、このようなＬＥＤ群２２の発光によって蓋体６の裏面６ａから鏡板７の周縁にわたる部分が様々に照らし出される。そしてこれら蓋体６の裏面６ａや鏡板７の周縁を照らし出す光は、直接光もしくは反射光として、環状カバープレート２７を透過して鏡板７周りを多種多様な態様で照らし出す。また、ＬＥＤ群２２からの照射光は、蓋体６の透明もしくは半透明の部分を透過してその表面６ｂを照らし出す。さらに、ＬＥＤ群２２からの光は銀メッキを除去した透過部２８から鏡板７を透過し、鏡面７ｂから外方へ照射されるようになっている。スイッチは収納ケース１を閉じた状態で入れるようにしてもよく、この場合には、蓋体６の透明もしくは半透明の部分を透過するＬＥＤ群２２からの照射光によって蓋体６の表面６ｂが照らし出されることになる。
【００１５】
このように以上説明した本実施形態にかかる収納ケース１にあっては、鏡板７の裏面７ａに、蓋体６の裏面６ａとの間に位置させて設けられ、発光されて蓋体６の裏面６ａから鏡板７の周縁にわたって光を照射するＬＥＤ群２２と、鏡板７の周縁にこれを取り囲んで設けられ、光を透過させる環状カバープレート２７と、ＬＥＤ群２２を発光させるボタン型電池２４と、ＬＥＤ群２２の発光をコントロールする制御素子２５とを備えたので、ＬＥＤ群２２と鏡板７の組み合わせの相乗効果によって、光による多種多様な演出効果を得ることができ、ＬＥＤ群２２を備えた収納ケース１に、特徴的で固有の雰囲気を醸し出させる美的もしくは斬新で新奇な装飾を施すことができる。
【００１６】
また、蓋体６を、光を透過させる透明もしくは半透明に形成したので、蓋体６の外観にも、光による演出効果を利用した特徴的な雰囲気の装飾を施すことができる。また、鏡板裏面７ａの銀メッキを部分的に除去して、鏡面７ｂから光を照射させるようにしたので、鏡板７自体にも、光による演出効果を利用した特徴的な雰囲気の装飾を施すことができる。上記実施形態にあっては、蓋体６に透明もしくは半透明な部分を形成したが、全体を不透明に形成しても良いことはもちろんである。また、鏡板裏面７ａの銀メッキを部分的に除去する場合について説明したが、必ずしも銀メッキを除去する必要はない。
【００１７】
【発明の効果】
以上要するに、本発明にかかる収納ケースにあっては、ＬＥＤ群と鏡板の組み合わせの相乗効果によって光による多種多様な演出効果を得ることができ、ＬＥＤ群を備えた収納ケースに、特徴的で固有の雰囲気を醸し出させる美的もしくは斬新で新奇な装飾を施すことができる。
【図面の簡単な説明】
【図１】本発明にかかる収納ケースの好適な一実施形態を示す斜視図である。
【図２】図１の収納ケースの側断面図である。
【図３】図１の収納ケースに備えられる取り付け用基板の平面図である。
【符号の説明】
１　収納ケース　　　　　　　　　　　３　ケース本体
６　蓋体　　　　　　　　　　　　　　６ａ　蓋体の裏面
７　鏡板　　　　　　　　　　　　　　７ａ　鏡板の裏面
７ｂ　鏡面　　　　　　　　　　　　　２２　ＬＥＤ群
２４　ボタン型電池　　　　　　　　　２５　制御素子
２７　環状カバープレート　　　　　　２８　透過部
【図１】
2004057553.tif 000003
【図２】
2004057553.tif 000004
【図３】
2004057553.tif 000005